(57)【要約】【課題】携行時や不使用時において、作業具を鞘部に収納したとき、上記作業具の金属部分が磁石に磁着され、磁石の磁着力により作業具は固定保持され、作業具の不測の脱落を防ぐことができ、使用の安全性を高めることができ、使用開始時や収納時にその都度掛止構造の掛止解除操作をする必要がなく、それだけ、作業性を高めることができる。【解決手段】鋸や鋏等の手動利器やペンチ等の手動工具などの作業具１を収容可能な鞘部２及び該作業具を携行するための携行部３を備えてなり、上記鞘部に上記作業具の金属部分に磁着可能な磁石４を配設してなる。【選択図】図１
0003145801.tif 000002
【実用新案登録請求の範囲】
【請求項１】
手動利器や手動工具などの作業具を収容可能な鞘部及び該作業具を携行するための携行部を備えてなり、上記鞘部に上記作業具の金属部分に磁着可能な磁石を配設してなることを特徴とする作業具用鞘。
【請求項２】
上記磁石を上記鞘部に該磁石の磁着面と該鞘部の上記作業具の金属部分の被磁着面が接触可能な鞘部の内面とが面一状態となるように埋設してなることを特徴とする請求項１記載の作業具用鞘。
【請求項３】
上記磁石は複数個の磁石を組み合わせてなる磁石列からなることを特徴とする請求項１又は２記載の作業具用鞘。
【考案の詳細な説明】
【技術分野】
【０００１】
本考案は例えば鋸、鋏などの手動利器やペンチ、ナタなどの手動工具などの各種の作業具を収容可能な鞘部及びこれら各種の作業具を携行するための携行部を備えてなる作業具用鞘に関するものである。
【背景技術】
【０００２】
従来、この種の作業具用鞘として、例えば、鋸を差し入れ収納可能な鞘部に使用者の腰部に吊下可能な携行部を備えてなる構造のものが知られている。
【０００３】
しかして、鞘部を携行部により使用者の腰部ベルトに吊下し、使用時において、鞘部より鋸を抜き取り、鋸作業を行い、作業終了時や携行時において、鋸を鞘部に差し入れ収容して使用することになる。
【特許文献１】特開平７−３２８９５９号公報
【考案の開示】
【考案が解決しようとする課題】
【０００４】
しかしながら上記従来構造の場合、携行時などの鋸収容状態において、鋸が鞘部から抜け落ちることがあり、この危険な抜け落ちを防ぐため、鋸を鞘部に係止する掛止構造を備えることも可能であるが、掛止構造が存在することにより作業開始時並びに収納時において、その都度、掛止構造の掛止解除操作をする必要があり、それだけ、作業性を低下させることがあるという不都合を有している。
【課題を解決するための手段】
【０００５】
本考案はこのような不都合を解決することを目的とするもので、本考案のうちで、請求項１記載の考案は、手動利器や手動工具などの作業具を収容可能な鞘部及び該作業具を携行するための携行部を備えてなり、上記鞘部に上記作業具の金属部分に磁着可能な磁石を配設してなることを特徴とする作業具用鞘にある。
【０００６】
又、請求項２記載の考案は、上記磁石を上記鞘部に該磁石の磁着面と該鞘部の上記作業具の金属部分の被磁着面が接触可能な鞘部の内面とが面一状態となるように埋設してなることを特徴とするものであり、又、請求項３記載の考案は、上記磁石は複数個の磁石を組み合わせてなる磁石列からなることを特徴とするものである。
【考案の効果】
【０００７】
本考案は上述の如く、請求項１記載の考案にあっては、手動利器や手動工具などの作業具を収容可能な鞘部に上記作業具の金属部分に磁着可能な磁石を配設してなるから、携行時や不使用時において、作業具を鞘部に収納したとき、上記作業具の金属部分が磁石に磁着され、磁石の磁着力により作業具は固定保持され、作業具の不測の脱落を防ぐことができ、使用の安全性を高めることができ、使用時において、作業具を鞘部から取り出すとき、磁石から離反する力で容易に抜き取ることができ、使用開始時や収納時にその都度掛止構造の掛止解除操作をする必要がなく、それだけ、作業性を高めることができる。
【０００８】
又、請求項２記載の考案にあっては、上記磁石を上記鞘部に磁石の磁着面と鞘部の上記作業具の金属部分の被磁着面が接触可能な鞘部の内面とが面一状態となるように埋設しているから、鞘部に対する作業具の取出及び収納を容易に行うことができ、又、請求項３記載の考案にあっては、上記磁石は複数個の磁石を組み合わせてなる磁石列からなるので、安定した磁力を得ることができたり、強力な磁石構造としたりすることができ、鞘部からの作業具の脱落を確実に防ぐことができる。
【考案を実施するための最良の形態】
【０００９】
図１乃至図７は本考案の実施の形態例を示し、図１乃至図５は第一形態例、図６は第二形態例、図７は第三形態例である。
【００１０】
図１乃至図５の第一形態例において、１は作業具、この場合、手動利器たる鋸であって、金属製の刃部１ａ及び合成樹脂製の柄部１ｂからなる。尚、鋏などの鋸以外の手動利器やペンチ、ナタなどの手動工具などの各種の作業具に適用することもある。
【００１１】
２は鞘部であって、この場合、木製にして上記作業具１を収容可能な差し込み穴部２ａを有すると共に使用者Ｋの腰部Ｋ1に吊下するための携行部３を備えてなり、この場合、携行部３は鞘部２に巻付状態で固定可能な皮革製の巻付固定ベルト３ａ及び巻付固定ベルト３ａに固着され、使用者Ｋの腰部Ｋ1の腰ベルトＭに挿通可能な穴を有する上下に巻き回し状の挿通穴部３ｂからなる。
【００１２】
４は磁石であって、上記作業具１の金属部分、この場合、作業具たる鋸の金属製の刃部１ａに磁着可能に形成され、この磁石４を上記鞘部２の挿通穴３ｂの内面に埋設している。
【００１３】
この場合、上記磁石４を上記鞘部２に磁石４の磁着面４ａと鞘部２の上記作業具１の金属部分の被磁着面Ｈたる刃部１ａが接触可能な鞘部２の内面Ｆとが面一状態となるように埋設している。
【００１４】
この実施の第一形態例は上記構成であるから、図５の如く、作業具１たる鋸を収容可能な鞘部２を携行部３により使用者Ｋの腰部Ｋ1に吊下状態で取り付け、鋸使用時において、鞘部２より鋸を抜き取り、鋸作業を行い、作業終了時や携行時において、鋸を鞘部２に差し入れ収容して使用することになり、この際、上記鞘部２に上記作業具１の金属部分に磁着可能な磁石４を配設してなるから、携行時や不使用時において、作業具１たる鋸を鞘部２に差し入れ収納したとき、上記作業具１の金属部分が磁石４に磁着され、磁石４の磁着力により作業具１は固定保持され、作業具１の不測の脱落を防ぐことができ、使用の安全性を高めることができ、使用時において、作業具１たる鋸を鞘部２から取り出す時、磁石４から離反する力で容易に抜き取ることができ、使用開始時や収納時にその都度掛止構造の掛止解除操作をする必要がなく、それだけ、作業性を高めることができる。
【００１５】
又、この場合、上記磁石４を上記鞘部２に磁石４の磁着面４ａと鞘部２の上記作業具１の金属部分の被磁着面Ｈたる刃部１ａが接触可能な鞘部２の内面Ｆとが面一状態となるように埋設しているから、鞘部２に対する作業具１の取出及び収納を容易に行うことができる。
【００１６】
図６の第二形態例及び図７の第三形態例はそれぞれ別例構造を示し、このうち、第二形態例にあっては、複数個の磁石４を並列状態に組み合わせてなる磁石列Ｑを配置してなり、又、第三形態例にあっては、複数個の磁石４を直列状態に組み合わせてなる磁石列Ｑを配置して構成している。
【００１７】
この第二、第三形態例にあっても、上記第一形態例と同様な作用効果を得ることができると共に上記磁石４は複数個の磁石４を組み合わせてなる磁石列Ｑからなるので、安定した磁力を得ることができたり、所謂スーパーマグネットバーと称する強力な磁石構造としたりすることができ、鞘部２からの作業具１の脱落を確実に防ぐことができる。
【００１８】
尚、本考案は上記実施の形態例に限られるものではなく、例えば、作業具１の種類としては、鋸に限らず、鋏などの鋸以外の手動利器やペンチ、ナタなどの手動工具などの各種の作業具に適用することができ、作業具１、鞘部２、携行部３の大きさや形態、構造等は適宜変更して設計されるものである。
【００１９】
以上の如く、所期の目的を充分達成することができる。
【図面の簡単な説明】
【００２０】
【図１】本考案の実施の第一形態例の全体側面図である。
【図２】本考案の実施の第一形態例の反対側面図である。
【図３】本考案の実施の第一形態例の部分側断面図である。
【図４】本考案の実施の第一形態例の部分断面図である。
【図５】本考案の実施の第一形態例の使用状態図である。
【図６】本考案の実施の第二形態例の部分断面図である。
【図７】本考案の実施の第三形態例の部分断面図である。
【符号の説明】
【００２１】
Ｆ    内面
Ｑ    磁石列
Ｈ    被磁着面
１    作業具
２    鞘部
３    携行部
４    磁石
４ａ    磁着面
【図１】
0003145801.tif 000003
【図２】
0003145801.tif 000004
【図３】
0003145801.tif 000005
【図４】
0003145801.tif 000006
【図５】
0003145801.tif 000007
【図６】
0003145801.tif 000008
【図７】
0003145801.tif 000009